(57)【要約】      （修正有）【課題】顔の表情筋を十分に刺激してエクササイズすることにより、引き締まった理想的なフェイスラインを効果的に作ることのできる美容ローラーを提供する。【解決手段】把持部２と、把持部の一端から二股に分岐した一対のアーム部３と、該各アーム部３の先端側に回転自在の軸支された一対のローラー４とを備え、前記各ローラー４には、夫々、回転方向に対して略平行に環状のプラス電極及びマイナス電極が形成されており、一対のローラー４で顔の下顎角から頬弓までを挟み込んでの使用、又は、いずれか一方のローラー４を表情筋に押し当てての使用であっても、当該ローラー４による押圧刺激とともにＥＭＳによる電気刺激を付与し、顔の表情筋を十分にエクササイズすることができる。【選択図】図１
2019193726.tif 000002
【特許請求の範囲】
【請求項１】
二股に分岐した一対のアーム部と、該各アーム部の先端側に回転自在に軸支された一対のローラーとを備えた美容ローラーであって、
前記各ローラーは、夫々、当該各ローラーの周囲にＥＭＳの電気刺激を筋肉に付与するためのプラス電極及びマイナス電極を備えてなることを特徴とする美容ローラー。
【請求項２】
前記一対のアーム部から延設した把持部を備え、
当該把持部は、ＥＭＳ装置と、前記ＥＭＳ装置を制御する制御部とを備え、
前記一対のアーム部は、各アーム部の先端側が二股に分岐し、その各先端部を軸受として各ローラーを回転自在に挟持し、前記ＥＭＳ装置と前記各ローラーのプラス電極又はマイナス電極とを電気的に接続する電線を配線しており、
当該各アーム部の先端側の一方に前記プラス電極に接続する電線を配線し、当該先端側の他方に前記マイナス電極に接続する電線を配線してなる請求項１に記載の美容ローラー。
【請求項３】
前記プラス電極及びマイナス電極は、環状に形成され、前記ローラーの回転方向に対して略平行に形成されている請求項１又は２のいずれかに記載の美容ローラー。
【請求項４】
前記各ローラーは、球状又は楕円球形状に形成され、
前記プラス電極及びマイナス電極は、環状に形成され、当該ローラーの赤道近傍で、当該赤道に沿って略平行に形成されている請求項１乃至３のいずれかに記載の美容ローラー。
【請求項５】
前記各ローラーは、加温手段を備えている請求項１乃至４のいずれかに記載の美容ローラー。
【請求項６】
前記把持部に前記制御部によって制御されるラジオ波生成部を備え、
前記一対のアーム部は、前記ラジオ波生成部と前記各ローラーのプラス電極又はマイナス電極とを電気的に接続する電線を配線しており、
当該各アーム部の先端側の一方に前記プラス電極に接続する電線を配線し、当該先端側の他方に前記マイナス電極に接続する電線を配線してなる請求項２乃至４に記載の美容ローラー。
【発明の詳細な説明】
【技術分野】
【０００１】
本発明は、ローラーによる押圧刺激と電気刺激によって顔の筋肉を十分にエクササイズし、フェイスラインを引き締めることのできる美容ローラーに関する。
【背景技術】
【０００２】
近年、顔をマッサージすることによりフェイスライン等を引き締めるべく、多種多様な美顔ローラーが提供されている。
【０００３】
例えば、ハンドルの先端から前方に延びる一対の弾性アームの先端にサイドローラを回転可能に設け、ハンドルを手に持ってサイドローラを顔に押し付け、前記一対の弾性アームの弾性復元力によりサイドローラが両頬を挟むことにより、使い易く単純な操作でマッサージすることのできるフェイス用マッサージ具が提供されている（特許文献１）。
【０００４】
また、二股に分岐するように樹脂形成した把持部と、その二つの分岐先端に顔を押圧しながらそれぞれ回転するローラー部とから構成され、顔を二つのローラー部の間に挟んだ状態で把持部を押し引きしてマッサージすることのできる美容ローラーが提供されている（非特許文献１）。
【先行技術文献】
【特許文献】
【０００５】
【特許文献１】実用新案登録第３１３１４９４号
【非特許文献１】意匠登録第１４６８６００号
【発明の概要】
【発明が解決しようとする課題】
【０００６】
一般的に、ほうれい線や口の両脇のしわ等の顔のたるみは、加齢や無表情等の理由によって顔のいわゆる表情筋の筋力が低下することを原因としている。そのため、フェイスラインを引き締めるには、表情筋を効果的に刺激することが肝要である。
【０００７】
しかしながら、特許文献１に記載のフェイス用マッサージ具又は非特許文献２に記載の美容ローラーは、ローラーを顔の表面に押し当てて回転させることにより、ある程度の刺激を表情筋に行うことは可能ではあるものの、顔面に押し当てられたローラーが弾性のアーム部の撓みによってフェイスラインに沿って広がってしまい、前記表情筋に対して十分な刺激を与えることができるとは言えなかった。
【０００８】
また、一般的に左右対称の顔が美しいとされるところ、例えば左右の一方でのみ咀嚼しているような場合、左右の表情筋の噛んでいない側が衰えてたるむため、フェイスラインは、左右で非対称になってしまう。そのため、衰えた側の表情筋のみを刺激し、一方のフェイスラインを引き締めることにより、左右対称の理想的なフェイスラインを得ることは、前記従来技術のように単に顔を挟み込んで左右を同時に刺激すること以上に重要と言える。
【０００９】
そこで、本発明は、顔の表情筋を十分に刺激することにより、引き締まったフェイスラインを効果的に作ることができるとともに、顔の左右の表情筋の一方のみに対しても十分な刺激を与えることのできる美容ローラーを提供することを課題とした。
【課題を解決するための手段】
【００１０】
上記課題を解決するために、本発明は次のように構成した。すなわち、本発明に係る美容ローラーは、二股に分岐した一対のアーム部と、該各アーム部の先端側に回転自在に軸支された一対のローラーとを備えた美容ローラーであって、前記各ローラーが、夫々、当該各ローラーの周囲にＥＭＳの電気刺激を筋肉に付与するためのプラス電極及びマイナス電極を備えてなることを特徴としている。
【００１１】
また、美容ローラーは、好ましくは、前記一対のアーム部から延設した把持部を備え、当該把持部が、ＥＭＳ装置と、前記ＥＭＳ装置を制御する制御部とを備え、前記一対のアーム部が、各アーム部の先端側が二股に分岐し、その各先端部を軸受として各ローラーを回転自在に挟持し、前記ＥＭＳ装置と前記各ローラーのプラス電極又はマイナス電極とを電気的に接続する電線を配線しており、当該各アーム部の先端側の一方に前記プラス電極に接続する電線を配線し、当該先端側の他方に前記マイナス電極に接続する電線を配線してなることを特徴としている。
【００１２】
また、美容ローラーは、好ましくは、前記プラス電極及びマイナス電極が、環状に形成され、前記ローラーの回転方向に対して略平行に形成されていることを特徴としている。
【００１３】
また、美容ローラーは、好ましくは、前記各ローラーは、球状又は楕円球形状に形成され、前記プラス電極及びマイナス電極が、環状に形成され、当該ローラーの赤道近傍で、当該赤道に沿って略平行に形成されていることを特徴としている。
【００１４】
また、美容ローラーは、好ましくは、前記各ローラーが、加温手段を備えていることを特徴としている。
【００１５】
また、美容ローラーは、好ましくは、前記把持部にラジオ波生成部と、前記ラジオ波生成部を制御する制御部とを備え、前記一対のアーム部は、前記ラジオ波生成部と前記各ローラーのプラス電極又はマイナス電極とを電気的に接続する電線を配線しており、当該各アーム部の先端側の一方に前記プラス電極に接続する電線を配線し、当該先端側の他方に前記マイナス電極に接続する電線を配線してなることを特徴としている。
【発明の効果】
【００１６】
本発明の美容ローラーによれば、各ローラー夫々にプラス電極及びマイナス電極を備えたことにより、一対のローラーを顔に挟んだ状態で、ローラーによる押圧刺激とＥＭＳによる電気刺激によって十分かつ効果的な刺激を表情筋に与えることができるとともに、一対のローラーを顔に挟んでいない状態であっても、一方のローラーによる押圧刺激とローラー毎のＥＭＳによる電気刺激を左右の表情筋の一方にのみ与えることができる。そのため、当該美容ローラーによれば、左右のフェイスラインを引き締めるだけでなく、左右の一方の表情筋のみを刺激して左右対称の理想的なフェイスラインを得ることができるという効果をも得ることができる。
【００１７】
また、前記各アーム部の先端側を二股に分岐させ、各先端部を軸受として各ローラーを回転自在に挟持させるとともに、当該各アーム部の各先端側の一方に前記プラス電極に接続する電線を備え、各先端側の他方に前記マイナス電極に接続する電線を備えたことにより、各アーム部の内部空間を有効に利用し、前記各ローラーの両側から夫々前記プラス電極及びマイナス電極へと配線することができる。
【００１８】
また、前記環状のプラス電極及びマイナス電極をローラーの回転方向に対して略平行に形成したことにより、ローラーの回転によっても常にこれら電極を使用者の皮膚面に当接させ、ＥＭＳによる電気刺激を与えることができ、前記一対のローラーで顔を挟み込んだ状態又は一方のローラーで顔を刺激する場合であっても、効果的に表情筋に刺激を与え、フェイスラインを引き締めることができる。
【００１９】
また、前記ローラーを球状又は楕円球形状に形成し、前記環状のプラス電極及びマイナス電極を当該ローラーの赤道の近傍で、当該赤道に沿って略平行に形成したことにより、ローラーの表面が湾曲した赤道部分によって、ローラーによる押圧刺激を効果的に表情筋に付与することができ、且つ、ローラーの回転によっても常にＥＭＳによる電気刺激を表情筋に付与することができ、前記一対のローラーで顔を挟み込んだ状態又は一方のローラーで顔を刺激する場合であっても、より効果的に表情筋に十分な刺激を付与し、フェイスラインを引き締め、または、理想的なフェイスラインを得ることができる。
【００２０】
また、各ローラーに、加温手段を備えたことにより、熱刺激によっても使用者の表情筋を刺激することができ、より一層効果的にフェイスラインを引き締め、または、理想的なフェイスラインを得ることができる。
【００２１】
さらに、当該各アーム部の各先端側の一方に前記プラス電極に接続する電線を備え、各先端側の他方に前記マイナス電極に接続する電線を備え、前記把持部のラジオ波生成部からプラス電極及びマイナス電極に接続したことにより、各アーム部の内部空間を有効に利用し、前記各ローラーの両側から夫々前記プラス電極及びマイナス電極へと配線することができるとともに、ラジオ波による発熱で表情筋に熱刺激を付与することができ、また、一対のローラーを顔に挟んでいない状態であっても、一方のローラーによる押圧刺激に加え、熱刺激を左右の表情筋の一方にのみ与えることもでき、より効果的に表情筋に十分な刺激を付与し、フェイスラインを引き締め、または、理想的なフェイスラインを得ることができる。
【図面の簡単な説明】
【００２２】
【図１】本発明に係る美容ローラーを示す外観正面図である。
【図２】美容ローラーの外観右側面図である。
【図３】把持部及びアーム部の内部構造を示すＡ−Ａ’断面図である。
【図４】ローラーの内部構造を示すＢ−Ｂ’断面図である。
【図５】美容ローラーの使用状態を示す図である。
【発明を実施するための形態】
【００２３】
以下、図面に基づいて本発明を具体的に説明する。まず、図１は、本発明に係る美容ローラー１を示す外観正面図であり、図２は、美容ローラー１を示す外観右側面図であり、図３は、美容ローラー１の内部構造を示すＡ−Ａ’断面図である。美容ローラー１は、基本的に、把持部２、一対のアーム部３及び一対のローラー４から構成されている。なお、図３は、説明の都合上、アーム部３の長さ方向に沿ってその一部を開いた中空部３１を表示している。
【００２４】
前記把持部２は、その内部に電源２１、ＥＳＭ装置２２及び当該ＥＳＭ装置２２を制御する制御部２３を備えており、また、その表面に前記ＥＭＳ装置２２を操作するためのボタンからなる操作部２４を備えている。なお、ＥＭＳ装置２２は、電気刺激によって筋肉を鍛えるための電気を発生させる装置であって、前記制御部２３によって、その動作が制御されている。また、前記ＥＭＳ装置２２は、回路基板からなる制御部２３上に設けられている。
【００２５】
前記一対のアーム部３は、図１に示すように、前記把持部２の一端から延設して二股に分岐して形成されており、また、図２に示すように、当該各アーム部３の先端側がさらに二股に分岐して形成されている。これら各アーム部３の先端側の先端部３１は、軸受として前記一対のローラー４の各ローラー４を回転自在に挟持している。
【００２６】
また、一対のアーム部３は、前記把持部２の一端から当該アーム部３の先端部３１までを連通させた中空部３２が形成されており、当該中空部３２には、前記ＥＭＳ装置２２と、後述する前記各ローラー４に設けたプラス電極４１及びマイナス電極４２とを電気的に接続する電線が収納されている。当該電線は、各アーム部３の先端側で二股に分岐した一方に前記プラス電極４１に接続する電線を収納し、当該先端側の他方に前記マイナス電極４２に接続する電線を収納している。これにより、各アーム部３の内部空間を有効に利用して、前記各ローラー４の両側から夫々前記プラス電極４１及びマイナス電極４２へと配線することができる。
【００２７】
前記一対のローラー４は、前記アーム部３の先端部３１を軸受けとして回転自在に挟持されており、当該一対のローラー４で下顎角から頬弓までを挟み込んだ状態で上下に移動させることにより、当該ローラー４による押圧刺激を表情筋に付与し、フェイスラインを引き締めることができる。
【００２８】
また、一対のローラー４の各ローラー４は、球状に形成されており、当該球状の回転方向に対して略平行に環状のプラス電極４１及びマイナス電極４２が形成されている。これらプラス電極４１及びマイナス電極４２は、夫々、前記中空部３２内に収納された電線によって前記ＥＭＳ装置２２と電気的に接続され、当該ＥＭＳ装置２２から供給された電気によって表情筋を刺激するようになっている。
【００２９】
ここで、前記各ローラー４は、直径が約４０ｍｍ〜５０ｍｍの球状に形成され、プラス電極４１及びマイナス電極４２は、当該球状の赤道を挟んで所定の間隔幅、具体的には約４．５ｍｍ〜５．５ｍｍの幅間隔で配設されている。また、当該プラス電極４１及びマイナス電極４２の幅は、夫々約４．５ｍｍ〜５．５ｍｍで形成されている。このように、環状のプラス電極４１及びマイナス電極４２を球状のローラー４の赤道近傍で回転方向と略平行になるように配設することにより、美容ローラー１の使用時に、表情筋に対して一対のローラー４による押圧刺激を与えるとともに、当該ローラー４の回転時にプラス電極４１及びマイナス電極４２の両電極を顔の表面に当接させることもでき、的確に電気刺激によるエクササイズをも行うことができる。
【００３０】
なお、本実施例では、各ローラー４は、球状に形成したが、楕円球形状又は円柱形状等であってもよく、当該ローラー４の回転時に常にプラス電極４１及びマイナス電極４２の両電極が顔の表面に当接可能であれば、どのような形状であってもよい。
【００３１】
図４は、ローラー４の内部構造を示すＢ−Ｂ’断面図である。各ローラー４は、前記各アーム部３の先端部３１に挟持されて回転自在に軸支されており、また、前記アーム部３の中空部３２に配線された電線を介し、回転体であるローラー４に形成された当該プラス電極４１及びマイナス電極４２に対して、ローラー４に内蔵した回転接続用コネクタ等を用いてローラー４の回転を阻害することなく電気を供給することができるよう接続されている。なお、当該プラス電極４１及びマイナス電極４２への電気の供給は、各ローラー４がスムーズに回転することができればどのような供給方法であってもよい。また、本実施例において、は、電線のローラー４側を留める留め具４３によって、前記電線からローラー４内へと電気的に接続されている。
【００３２】
また、ローラー４は、特に図示はしないが、その内部に加温手段を備えており、前記電源２１より供給された電気によってローラー４を温めることにより、ローラー４による押圧刺激とともに熱刺激によるエクササイズを表情筋に付与することができる。
【００３３】
当該加温手段は、ラジオ波等の高周波温熱機器を用いて身体の深部を加温できるものが好ましく、当該深部加温により、熱刺激によるエクササイズのほか新陳代謝の促進効果も得ることができる。具体的には、前記把持部２にラジオ波生成部を設け、前記制御部２３によってラジオ波の生成を制御し、当該ラジオ生成部から前記各アーム部３の先端部３１まで配線した電線から前記各ローラー４のプラス電極４１及びマイナス電極４２に前記ＥＭＳと同様に電気を流すことにより、当該各電極に当接した皮膚の深部を加温するものである。そのため、各ローラー４のいずれか一方のみであっても、表情筋に対して熱刺激を付与することができる。
【００３４】
次に、美容ローラー１の使用方法について説明する。図５は、美容ローラー１の使用状態を示す図である。使用者は、手で把持部２を握り、前記一対のローラー４で下顎を挟み込んだ状態で、下顎角から頬弓までを挟み込んだまま上下に移動させる。また、前記操作部２４によりＥＭＳ装置２２をＯＮにすることにより、各ローラー４のプラス電極４１及びマイナス電極４２から使用者の表情筋に対して電気刺激を付与することができる。これにより、使用者の左右の表情筋をローラー４による押圧刺激とともにＥＭＳによる電気刺激を付与することができ、顔の表情筋を十分に刺激することにより、引き締まったフェイスラインを効果的に作ることができる。
【００３５】
また、美容ローラー１は、一対のローラー４のうち一方のローラー４を左右いずれかの表情筋に押し当て上下に移動させて使用することもできる。各ローラー４は、夫々にプラス電極４１及びマイナス電極４２を備えているため、一対のローラー４の一方のみによってもＥＭＳによる電気刺激を左右いずれか一方の表情筋に対して付与することができる。これにより、ローラー４による押圧刺激とともにＥＭＳによる電気刺激を付与でき、左右のいずれか一方の表情筋にのみ十分な刺激を付与することができ、左右の表情筋のバランスを整え、左右対称の理想的なフェイスラインを得ることができる。
【００３６】
また、前記操作部２４により前記加温手段を加温することにより、熱刺激によっても表情筋に刺激を与えることができ、前記ローラー４による押圧刺激とともに、より一層効果的に引き締まった理想的なフェイスラインを得ることができる。
【産業上の利用可能性】
【００３７】
前記実施例の美容ローラー１は、顔の表情筋に対して使用したが、使用者の腕部、脚部、腰部又はその他の身体部位に対しても、当該部位の筋肉に対してエクササイズを行うことができる。
【符号の説明】
【００３８】
１    美容ローラー
２    把持部
２１  電源
２２  ＥＭＳ装置
２３  制御部
２４  操作部
３    アーム部
３１  先端部
３２  中空部
４    ローラー
４１  プラス電極
４２  マイナス電極
４３  留め具
【図１】
2019193726.tif 000003
【図２】
2019193726.tif 000004
【図３】
2019193726.tif 000005
【図４】
2019193726.tif 000006
【図５】
2019193726.tif 000007